(57)【要約】【課題】  シートに着座したユーザの情報を他のユーザが取得することができるシートシステムを提供する。【解決手段】  シートシステム１であって、シート本体５と、シート本体に設けられた少なくとも１つのセンサ４０と、センサからの信号を処理する制御装置４６と、制御装置と通信し、制御装置からの信号に基づいて情報を通知する第１ユーザインタフェース６９とを有する。センサがシート本体に着座した着座者から得られる情報を取得するとよい。シート本体に着座した着座者を撮像するカメラ５１を含み、制御装置は、第１ユーザインタフェースにカメラによって撮像された画像を表示させるとよい。【選択図】    図３
2020175808.tif 000002
【特許請求の範囲】
【請求項１】
シートシステムであって、
シート本体と、
前記シート本体に設けられた少なくとも１つのセンサと、
前記センサからの信号を処理する制御装置と、
前記制御装置と通信し、前記制御装置からの信号に基づいて情報を通知する第１ユーザインタフェースとを有するシートシステム。
【請求項２】
前記センサが前記シート本体に着座した着座者から得られる情報を取得する請求項１に記載のシートシステム。
【請求項３】
前記シート本体に着座した前記着座者を撮像するカメラを含み、
前記制御装置は、前記第１ユーザインタフェースに前記カメラによって撮像された画像を表示させる請求項１又は請求項２に記載のシートシステム。
【請求項４】
前記カメラがシートバックの上部又はヘッドレストに設けられている請求項３に記載のシートシステム。
【請求項５】
前記制御装置が、前記センサからの信号に基づいてアプリケーションを実行するアプリケーション処理部を有し、前記アプリケーション処理部が生成した画像を前記第１ユーザインタフェースに表示させる請求項１〜請求項４のいずれか１つの項に記載のシートシステム。
【請求項６】
前記制御装置が携帯端末を構成し、前記センサと無線通信を行い、
前記携帯端末が前記画像を表示する第２ユーザインタフェースを有する請求項５に記載のシートシステム。
【請求項７】
前記第１ユーザインタフェースはユーザの入力を受け付け、
前記制御装置は、前記第１ユーザインタフェースからの入力に基づいて前記第２ユーザインタフェースに出力を行う請求項６に記載のシートシステム。
【請求項８】
前記制御装置が、インターネットを介して前記第１ユーザインタフェースと通信する請求項１〜請求項５のいずれか１つの項に記載のシートシステム。
【請求項９】
前記シートシステムが、乗物用のシートシステムである請求項１〜請求項８のいずれか１つの項に記載のシートシステム。
【発明の詳細な説明】
【技術分野】
【０００１】
本発明は、シートシステムに関する。
【背景技術】
【０００２】
従来、着座者のシートに圧力センサ等を搭載して、着座者の着座姿勢を推定する装置が知られている（特許文献１）。
【先行技術文献】
【特許文献】
【０００３】
【特許文献１】特開平１１−０６４１３１号公報
【発明の概要】
【発明が解決しようとする課題】
【０００４】
シートに設けられたセンサによって得られる着座者の情報を、他のユーザが共有できると様々な利点がある。例えば、シートに設けられたセンサを入力装置としてゲームを構成した場合、ゲームの経過や結果を他のユーザが知ることができ、ゲームの商品価値を高めることができる。また、視界外にシートがある場合や、シートが遠隔地にある場合において、他のユーザは目視によらず着座者の状態を把握することができ、育児や介護、見守り等に利用することができる。
【０００５】
本発明は、以上の背景を鑑み、シートに着座したユーザの情報を他のユーザが取得することができるシートシステムを提供することを課題とする。
【課題を解決するための手段】
【０００６】
上記課題を解決するために、本発明の一態様は、シートシステム（１）であって、シート本体（５）と、前記シート本体に設けられた少なくとも１つのセンサ（４０）と、前記センサからの信号を処理する制御装置（４６）と、前記制御装置と通信し、前記制御装置からの信号に基づいて情報を通知する第１ユーザインタフェース（６９）とを有する。
【０００７】
この態様によれば、シートに着座したユーザの情報を他のユーザが第１ユーザインタフェースを使用して取得することができる。他のユーザは、視界外にシートがある場合や、シートが遠隔地にある場合において、目視によらずシートに着座したユーザの状態を把握することができ、育児や介護、見守り等に利用することができる。
【０００８】
上記の態様において、前記センサが前記シート本体に着座した着座者から得られる情報を取得するとよい。生体情報は、例えば体温や脈拍、発汗、匂い等を含み、センサは、温度センサや脈拍センサ、湿度センサ、匂いセンサ等を含むとよい。
【０００９】
この態様によれば、シートに着座したユーザの生体情報を他のユーザが取得することができる。
【００１０】
上記の態様において、前記シート本体に着座した前記着座者を撮像するカメラ（５１）を含み、前記制御装置は、前記第１ユーザインタフェースに前記カメラによって撮像された画像を表示させるとよい。
【００１１】
この態様によれば、シートに着座したユーザの画像情報を他のユーザが第１ユーザインタフェースを使用して取得することができる。
【００１２】
上記の態様において、前記カメラがシートバック（８）の上部又はヘッドレスト（９）に設けられているとよい。
【００１３】
この態様によれば、シートバック又はヘッドレストを利用してカメラを支持することができ、カメラを支持するための他の架台を省略することができる。
【００１４】
上記の態様において、前記制御装置が、前記センサからの信号に基づいてアプリケーションを実行するアプリケーション処理部（５７）を有し、前記アプリケーション処理部が生成した画像を前記第１ユーザインタフェースに表示させるとよい。
【００１５】
この態様によれば、シート本体に着座したユーザがプレイするゲームのゲーム画面を、他のユーザが第１ユーザインタフェースを利用して確認することができる。すなわち、他のユーザが、ゲームをプレイするユーザと共にゲームを楽しむことができる。
【００１６】
上記の態様において、前記制御装置が携帯端末（４９）を構成し、前記センサと無線通信を行い、前記携帯端末が前記画像を表示する第２ユーザインタフェース（４７）を有するとよい。
【００１７】
この態様によれば、シート本体に着座したユーザは携帯端末の第２ユーザインタフェースによって画像を確認することができる。また、制御装置及び第２ユーザインタフェースを例えばタブレットＰＣやスマートフォン等の公知の携帯端末を利用して構成することができる。
【００１８】
上記の態様において、前記第１ユーザインタフェースはユーザの入力を受け付け、前記制御装置は、前記第１ユーザインタフェースからの入力に基づいて前記第２ユーザインタフェースに出力を行うとよい。
【００１９】
この態様によれば、ゲームをプレイするユーザと異なる他のユーザは入力装置を利用してゲームに参加することができる。
【００２０】
上記の態様において、前記制御装置が、インターネット（５９）を介して第１ユーザインタフェースと通信するとよい。
【００２１】
この態様によれば、シート本体に対して遠隔地にいるユーザがシート本体に着座したユーザの情報を取得することができる。
【００２２】
上記の態様において、前記シートシステムが、乗物用のシートシステムであるとよい。
【００２３】
この態様によれば、センサをシートにユーザが着座しているか否かを検出するための着座センサに流用することができる。
【発明の効果】
【００２４】
本発明の一態様は、シートシステム（１）であって、シート本体（５）と、前記シート本体に設けられた少なくとも１つのセンサ（４０）と、前記センサからの信号を処理する制御装置（４６）と、前記制御装置と通信し、前記制御装置からの信号に基づいて情報を通知する第１ユーザインタフェース（６９）とを有する。
【００２５】
この態様によれば、シートに着座したユーザの情報を他のユーザが第１ユーザインタフェースを使用して取得することができる。他のユーザは、視界外にシートがある場合や、シートが遠隔地にある場合において、目視によらずシートに着座したユーザの状態を把握することができ、育児や介護、見守り等に利用することができる。
【００２６】
上記の態様において、前記センサが前記シート本体に着座した着座者から得られる情報を取得するとよい。生体情報は、例えば体温や脈拍、発汗、匂い等を含み、センサは、温度センサや脈拍センサ、湿度センサ、匂いセンサ等を含むとよい。
【００２７】
この態様によれば、シートに着座したユーザの生体情報を他のユーザが取得することができる。
【００２８】
上記の態様において、前記シート本体に着座した前記着座者を撮像するカメラ（５１）を含み、前記制御装置は、前記第１ユーザインタフェースに前記カメラによって撮像された画像を表示させるとよい。
【００２９】
この態様によれば、シートに着座したユーザの画像情報を他のユーザが第１ユーザインタフェースを使用して取得することができる。
【００３０】
上記の態様において、前記カメラがシートバック（８）の上部又はヘッドレスト（９）に設けられているとよい。
【００３１】
この態様によれば、シートバック又はヘッドレストを利用してカメラを支持することができ、カメラを支持するための他の架台を省略することができる。
【００３２】
上記の態様において、前記制御装置が、前記センサからの信号に基づいてアプリケーションを実行するアプリケーション処理部（５７）を有し、前記アプリケーション処理部が生成した画像を前記第１ユーザインタフェースに表示させるとよい。
【００３３】
この態様によれば、シート本体に着座したユーザがプレイするゲームのゲーム画面を、他のユーザが第１ユーザインタフェースを利用して確認することができる。すなわち、他のユーザが、ゲームをプレイするユーザと共にゲームを楽しむことができる。
【００３４】
上記の態様において、前記制御装置が携帯端末（４９）を構成し、前記センサと無線通信を行い、前記携帯端末が前記画像を表示する第２ユーザインタフェース（４７）を有するとよい。
【００３５】
この態様によれば、シート本体に着座したユーザは携帯端末の第２ユーザインタフェースによって画像を確認することができる。また、制御装置及び第２ユーザインタフェースを例えばタブレットＰＣやスマートフォン等の公知の携帯端末を利用して構成することができる。
【００３６】
上記の態様において、前記第１ユーザインタフェースはユーザの入力を受け付け、前記制御装置は、前記第１ユーザインタフェースからの入力に基づいて前記第２ユーザインタフェースに出力を行うとよい。
【００３７】
この態様によれば、ゲームをプレイするユーザと異なる他のユーザは入力装置を利用してゲームに参加することができる。
【００３８】
上記の態様において、前記制御装置が、インターネット（５９）を介して第１ユーザインタフェースと通信するとよい。
【００３９】
この態様によれば、シート本体に対して遠隔地にいるユーザがシート本体に着座したユーザの情報を取得することができる。
【００４０】
上記の態様において、前記シートシステムが、乗物用のシートシステムであるとよい。
【００４１】
この態様によれば、センサをシートにユーザが着座しているか否かを検出するための着座センサに流用することができる。
【図面の簡単な説明】
【００４２】
【図１】第１実施形態に係るシートシステムを搭載した車両の車室の斜視図
【図２】シート本体の斜視図
【図３】第１実施形態に係るシートシステムのブロック図
【図４】他の携帯端末のユーザインタフェースに表示される鑑賞画面であって、（Ａ）ゲーム画像のみ、（Ｂ）ゲームをプレイするユーザが１人の場合、（Ｂ）ゲームをプレイするユーザが複数人の場合
【図５】第２実施形態に係るシートシステムのブロック図
【図６】第３実施形態に係るシートシステムのブロック図
【図７】他の携帯端末のユーザインタフェースに表示されるユーザ情報画面
【発明を実施するための形態】
【００４３】
以下、図面を参照して、本発明に係るシートシステムを自動車等の車両に適用した実施形態を説明する。
【００４４】
（第１実施形態）
図１に示すように、シートシステム１は、車室２の底部を画定するフロア３上に配置された少なくとも１つのシート本体５を有する。本実施形態では、シートシステム１は複数のシート本体５を有する。以下の説明では、シート本体５に着座したユーザを基準として、前後、左右、及び上下の各方向を定める。
【００４５】
シート本体５は、左右のフロントシートと、フロントシートの後方に設けられた左右のミッドシートと、ミッドシートの後方に設けられた左右のリアシートとを構成する。各シート本体５は、車室２のフロア３に設けられたシートクッション７と、シートクッション７の後部に結合されたシートバック８と、シートバック８の上側に設けられたヘッドレスト９とを有する。
【００４６】
図２に示すように、シートクッション７はそれぞれ、骨格をなすシートクッションフレーム（不図示）と、シートクッションフレームに支持されたパッド１２と、パッド１２の外面に被せられた表皮材１３とを有する。同様に、シートバック８はそれぞれ、骨格をなすシートバックフレーム（不図示）と、シートバックフレームに支持されたパッド１６と、パッド１６の外面に被せられた表皮材１７とを有する。シートバックフレームは、下端においてシートクッションフレームの後端に回動可能に取り付けられている。パッド１２、１６は、例えば発泡ウレタン等の可撓性を有する樹脂材料から形成されている。表皮材１３、１７は、例えば織布や皮革、合成皮革から形成されている。
【００４７】
シート本体５には、少なくとも１つのセンサ４０が設けられている。センサ４０は、シートクッション７に少なくとも１つ、シートバック８に少なくとも１つ設けられていることが好ましい。センサ４０は、複数の検出部４１と、１つの第１通信部４２と、１つのバッテリ４３と、複数の検出部４１、第１通信部４２、バッテリ４３とを接続する配線４４とを有する。第１通信部４２はマイコン等によって構成されているとよい。バッテリ４３は、交換式であってもよく、充電可能であってもよい。バッテリ４３は、ハーネスの接続による充電やワイヤレス充電によって充電されるとよい。複数の検出部４１、第１通信部４２、バッテリ４３及び配線４４は、共通の可撓性を有するシート材４５上に配置されていることが好ましい。シート材４５は、例えばフレキシブルプリント基板であるとよい。本実施形態では、センサ４０の１つは、シートクッション７のパッド１２の上面と表皮材１３との間に設けられ、他の１つはシートバック８のパッド１６の前面と表皮材１７との間に設けられている。
【００４８】
センサ４０は、シート本体５に着座したユーザから受ける荷重やユーザとの接触を検出する荷重センサや感圧スイッチ、タッチセンサを構成する。センサ４０の検出部４１は、例えば圧電素子やメンブレンスイッチ、静電容量センサであってよい。また、センサ４０は、シート本体５に着座したユーザの体温や脈拍、発汗状態、匂い等を検出する生体情報センサを構成するとよい。生体情報センサは、温度センサや、脈拍センサ、湿度センサ、匂いセンサ等を含む。本実施形態では、センサ４０は、所定値以上の荷重を受けたときにオン信号を生成するメンブレンスイッチである。
【００４９】
図３に示すように、シートシステム１は、更にセンサ４０と通信する制御装置４６と、制御装置４６によって制御されるユーザインタフェース４７と、シート本体５に着座した着座者を撮像するカメラ５１とを有する。ユーザインタフェース４７は、少なくとも画像を表示する出力機能を有し、ユーザの入力を受け付ける入力機能を有することが好ましい。本実施形態では、ユーザインタフェース４７は、ユーザのタッチ操作による入力及び画像の表示が可能なタッチパネルディスプレイである。タッチパネルディスプレイは、例えば液晶ディスプレイや有機ＥＬディスプレイから構成されるとよい。
【００５０】
図１及び図３に示すように、カメラ５１は、デジタルカメラであってよい。カメラ５１は、有線通信又は無線通信によって制御装置４６と通信し、撮像した画像データを制御装置４６に送信する。カメラ５１はシート本体５毎に設けられてもよく、共通のカメラ５１が複数のシート本体５に着座したユーザを撮像するようにしてもよい。カメラ５１は、車両のルーフ５２やピラー５３等の構造体や、撮像対象となるシート本体５の前方に位置するシート本体５の背面に設けられるとよい。また、カメラ５１は撮像対象となるシート本体５のシートバック８の上部又はヘッドレスト９に設けられ、シート本体５に着座したユーザの顔の側部周辺の画像を撮像するようにしてもよい。
【００５１】
本実施形態では、制御装置４６とユーザインタフェース４７とは一体に組み合わされ、携帯端末４９を構成する。他の実施形態では制御装置４６とユーザインタフェース４７とは、互いに独立した装置として車両に配置されてもよい。
【００５２】
制御装置４６は、ＣＰＵ、ＲＯＭ、ＲＡＭ、書換可能な不揮発性メモリ等を含む電子制御装置である。制御装置４６は、センサ４０の第１通信部４２と無線通信し、センサ４０と通信する第２通信部５５と、センサ４０からの信号を処理する信号処理部５６と、信号処理部５６からの信号に基づいてアプリケーションを実行するアプリケーション処理部５７と、鑑賞画像作成部５８と、インターネット５９に接続するために基地局と無線通信するための第３通信部６４とを有する。サーバ６１はクラウドサーバであってよい。アプリケーション処理部５７は、ゲームを含む各種アプリケーションを実行することができる。第２制御装置５０は、プラットフォームとして機能し、各種アプリケーションを保持している。アプリケーションは、インターネット５９や記憶媒体を介して制御装置４６にインポートされてもよい。アプリケーションは、ゲームや、シート本体５や車内の照明や音響装置を操作するためのアプリケーションが含む。本実施形態では、アプリケーション処理部５７は、センサ４０をコントローラとするゲームアプリケーションを実行する。サーバ６１は、携帯端末４９と他の携帯端末６２とを接続し、オンラインゲームを可能にする。
【００５３】
他の携帯端末６２は、車両内にあってもよく、車両外の遠隔地にあってもよい。他の携帯端末６２は、公知のタブレットＰＣやスマートフォンであってよく、制御装置６８と入出力可能なユーザインタフェース６９を有する。制御装置６８はインターネット５９に接続するために基地局と無線通信するための第４通信部７０を有する。他の携帯端末６２は、制御装置４６と通信し、ユーザインタフェース６９は制御装置４６からの信号に基づいて情報を通知する。ユーザインタフェース６９は、ユーザインタフェース６９は入出力可能なタッチパネルディスプレイであるとよい。
【００５４】
車室２の前部を構成するダッシュパネル６５にはナビゲーションシステム６７が設けられている。ナビゲーションシステム６７は、ＧＰＳ情報と地図情報とに基づいてカーナビゲーション処理を実行する制御装置７１と、制御装置７１によって生成されたカーナビゲーション画面を表示するユーザインタフェース７２とを有する。ナビゲーションシステム６７の制御装置７１は、携帯端末４９の第２通信部５５と通信するための第５通信部７３を有する。ユーザインタフェース７２は入出力可能なタッチパネルディスプレイであるとよい。
【００５５】
第１通信部４２及び第２通信部５５、第５通信部７３は、Bluetooth（登録商標）等の近距離無線通信方式によって通信を行なうとよい。第３通信部６４及び第４通信部７０は、４Ｇや５Ｇ等の移動通信規格に基づく無線通信によって、インターネット５９に接続した基地局装置と通信するとよい。
【００５６】
信号処理部５６は、センサ４０からの信号をアプリケーション処理部５７が処理可能な信号に変換する。アプリケーション処理部５７は、アプリケーションが起動されるとゲーム画面（画像）を生成し、携帯端末４９に設けられたユーザインタフェース４７を制御し、ユーザインタフェース４７にゲーム画面を表示させる。また、アプリケーション処理部５７は、信号処理部５６からの信号に基づいて、ゲーム処理を実行し、ユーザインタフェース４７に表示するゲーム画面を変化させる。ユーザインタフェース４７は、液晶ディスプレイや有機ＥＬディスプレイから構成されるタッチパネルディスプレイであるとよい。アプリケーション処理部５７は、第３通信部６４によってサーバ６１と通信する。アプリケーション処理部５７が実行するゲームアプリケーションは、例えばシート本体５に着座したユーザの身体の動きに基づいてゲーム内のキャラクタを動かし、競技を行なうものであってよい。
【００５７】
鑑賞画像作成部５８は、カメラ５１からの画像情報と、ゲーム画面とに基づいて鑑賞画像８０を作成する。鑑賞画像８０は、他の携帯端末６２及びナビゲーションシステム６７において表示される画像である。鑑賞画像８０は、ゲーム画像と、カメラ画像との少なくとも一方を含む。鑑賞画像８０は、例えば、図４（Ａ）に示すようにゲーム画像８０Ａのみであってもよく、図３（Ｂ）に示すように画像の左半部にゲーム画像８０Ａを表示し、右半部にカメラ画像８０Ｂを表示するとよい。カメラ画像にはゲームをプレイするユーザが含まれる。図３（Ｃ）に示すように、車室２内においてゲームをプレイするユーザが複数人存在する場合、右半部を、ゲームをプレイするユーザ数に応じて分割し、各ユーザを撮像したカメラ画像８０Ｂ、８０Ｂを表示するとよい。
【００５８】
制御装置４６は鑑賞画像８０をナビゲーションシステム６７の制御装置７１に送信し、制御装置７１はユーザインタフェース７２に鑑賞画像８０を表示させる。また、制御装置４６は鑑賞画像８０を外部の携帯端末６２に送信し、携帯端末６２の制御装置６８は携帯端末６２のユーザインタフェースに鑑賞画像８０を表示させる。
【００５９】
他の携帯端末６２のユーザインタフェース６９は、ユーザによるメッセージの入力を受け付け、制御装置６８は入力されたメッセージを携帯端末４９に送信してもよい。携帯端末４９のアプリケーション処理部５７は受け取ったメッセージをゲーム画面に表示させてもよい。これによれば、他の携帯端末６２を有するユーザもゲームに応援者として参加することができる。
【００６０】
また、鑑賞画像８０は制御装置４６、サーバ６１、制御装置６８の少なくとも１つに保存されてもよい。制御装置６８は、他のユーザの操作に応じて保存された鑑賞画像８０を選択し、ユーザインタフェース６９に表示してもよい。制御装置６８は、過去の鑑賞画像８０の一覧を表示した画像選択画面をユーザインタフェース６９に表示し、他のユーザに表示すべき鑑賞画像８０を選択させるとよい。これにより、他のユーザは過去の鑑賞画像８０を確認することができる。
【００６１】
また、サーバ６１は、複数の制御装置４６から送信される鑑賞画像８０を保存するとよい。そして、制御装置６８は、複数の制御装置４６から送信された鑑賞画像８０の中から他のユーザの操作に応じて選択された鑑賞画像８０をユーザインタフェース６９に表示するとよい。制御装置６８は、複数の制御装置４６から送信された鑑賞画像８０の一覧を表示した画像選択画面をユーザインタフェース６９に表示し、他のユーザに表示すべき鑑賞画像８０を選択させるとよい。これにより、他のユーザは複数の制御装置４６によって生成された鑑賞画像８０を確認することができる。
【００６２】
上述した実施形態によれば、シート本体５に設けられたセンサ４０をゲームコントローラとしたビデオゲームをユーザに提供することができる。センサ４０は、シート本体５に着座したユーザの身体の動きを検出し、ユーザの身体の動きに応じてゲームを実行する。すなわち、シートシステム１は、シート本体５に着座したユーザが身体を動かすことによって楽しむことができるゲームを提供する。
【００６３】
シートシステム１は、シート本体５に着座したユーザの情報を他のユーザが携帯端末６２のユーザインタフェース６９を使用して取得することができる。他のユーザは、視界外にシートがある場合や、シート本体５が遠隔地にある場合において、目視によらずシート本体５に着座したユーザの状態を把握することができ、育児や介護、見守り等に利用することができる。例えば、ミッドシートであるシート本体５に着座したユーザの情報をフロントシートであるシート本体５に着座したユーザが携帯端末６２のユーザインタフェース６９を使用して取得することができる。また、車両から遠く離れた場所にいるユーザが、車両内のシート本体５に着座したユーザの情報を取得することができる。
【００６４】
また、鑑賞画像８０はナビゲーションシステム６７のユーザインタフェース７２にも表示されるため、フロントシートであるシート本体５に着座したユーザはナビゲーションシステム６７のユーザインタフェース７２を使用して取得することができる。
【００６５】
鑑賞画像８０はシート本体５に着座したユーザの撮像画像を含むため、他のユーザはゲームをプレイするユーザの画像を確認することができる。また、鑑賞画像８０はゲーム画像も含むため、ユーザのゲームプレイ状況を確認することができる。例えば、車両から離れた遠隔地にいる祖父母が、車両内においてゲームを楽しむ孫の挙動を確認することができる。
【００６６】
第１実施形態に係るシートシステム１において、携帯端末６２は携帯端末４９と比較的近い位置にあるとき、例えば車両内にあるときに、携帯端末４９と近距離通信によってインターネット５９を介さずに直接に無線通信してもよい。
【００６７】
（第２実施形態）
図５に示すように、第２実施形態に係るシートシステム９０は、第１実施形態に係るシートシステム１と比較して、ナビゲーションシステム６７の制御装置７１が、第２通信部５５と、信号処理部５６と、アプリケーション処理部５７と、鑑賞画像作成部５８と、第３通信部６４とを有する点が異なる。シートシステム９０において、携帯端末４９は付加的な構成であり、省略してもよい。
【００６８】
第２実施形態に係るシートシステム９０によれば、車両に備わっているナビゲーションシステム６７を利用してセンサ４０からの信号処理及びゲーム処理を実行することができ、携帯端末４９を省略することができる。
【００６９】
（第３実施形態）
図６に示すように、第３実施形態に係るシートシステム１００は、第１実施形態に係るシートシステム１と比較して、ユーザ情報処理部１０１を有する点が異なる。シートシステム１００では、センサ４０は、シート本体５に着座したユーザから受ける圧力（荷重）を検出する感圧センサと、シート本体５に着座したユーザの脈拍を取得する脈拍センサと、シート本体５に着座したユーザの体温を測定する体温センサとを有する。
【００７０】
ユーザ情報処理部１０１は、センサ４０からの信号に基づいて、シート本体５に着座したユーザがいるか否か、シート本体５に着座したユーザの脈拍、シート本体５に着座したユーザの体温を含むユーザ情報を取得する。そして、制御装置４６は、ユーザ情報を他の携帯端末６２に送信し、ユーザインタフェース６９にユーザ情報を含むユーザ情報画面１０５を表示させる。ユーザ情報画面１０５は、例えば図７に示す画面であってよい。また、制御装置４６は、ユーザ情報をナビゲーションシステム６７に送信し、ユーザインタフェース７２にユーザ情報画面１０５を表示させてもよい。
【００７１】
また、ユーザ情報は制御装置４６、サーバ６１、制御装置６８の少なくとも１つに保存されてもよい。制御装置６８は、他のユーザの操作に応じて保存されたユーザ情報を選択し、選択したユーザ情報に基づいてユーザ情報画面１０５を生成し、ユーザ情報画面１０５をユーザインタフェース６９に表示してもよい。制御装置６８は、過去のユーザ情報の一覧を表示したユーザ情報選択画面をユーザインタフェース６９に表示し、他のユーザに表示すべきユーザ情報を選択させるとよい。これにより、ユーザは過去のユーザ情報を確認することができる。
【００７２】
また、サーバ６１は、複数の制御装置４６から送信されるユーザ情報を保存するとよい。そして、制御装置６８は、複数の制御装置４６から送信されたユーザ情報の中から他のユーザの操作に応じて選択されたユーザ情報に基づいてユーザ情報画面１０５を生成し、ユーザ情報画面１０５をユーザインタフェース６９に表示してもよい。制御装置６８は、複数の制御装置４６から送信されたユーザ情報の一覧を表示したユーザ情報選択画面をユーザインタフェース６９に表示し、他のユーザに表示すべきユーザ情報を選択させるとよい。これにより、他のユーザは複数の制御装置４６によって取得されたユーザ情報を確認することができる。
【００７３】
シートシステム１００によれば、携帯端末６２を有するユーザは、シート本体５に着座したユーザがいるか否か、また着座したユーザがいる場合にはそのユーザの脈拍及び体温を含む生体情報を取得することができる。シートシステム１００では、センサ４０に湿度センサや匂いセンサを含ませることによって、シート本体５に着座したユーザの発汗状態や匂い等も遠隔地にいる他のユーザが取得することができる。
【００７４】
シートシステム１００は住宅用の椅子に適用することによって高齢者の遠隔地からの見守りに適している。シートシステム１００によれば、遠隔地に住む高齢者がシート本体５を利用したか否かや、利用した場合には脈拍や体温等の健康状態を取得することができる。
【００７５】
以上で具体的実施形態の説明を終えるが、本発明は上記実施形態に限定されることなく幅広く変形実施することができる。上記の実施形態では、シートシステムを車両に適用した例について説明したが、シートシステムは自動車以外の他の乗物用のシートや、劇場や住宅等の建造物に設けられるシートに適用してもよい。
【００７６】
信号処理部５６はセンサ４０からの信号に基づいて、シート本体５にチャイルドシート又はブースターシートが搭載されていることを判定し、チャイルドシート又はブースターシートが搭載されている場合に信号処理部５６からアプリケーション処理部５７への出力を０にしてもよい。センサ４０が荷重センサ（感圧センサ）を有する場合に、信号処理部５６はセンサ４０が検出する荷重分布に基づいてチャイルドシート又はブースターシートがシート本体５に載置されているか否かを検出するとよい。例えば、センサ４０が検出する荷重分布が予め設定されたパターンと一致する場合には、シート本体５のシートクッション７上にチャイルドシート又はブースターシートが載置されていると判定するとよい。
【００７７】
また、シート本体５に搭載されるチャイルドシート又はブースターシートは、無線通信によって制御装置４６に信号を送信することができるセンサを有してもよい。チャイルドシート及びブースターシートが有するセンサは、シート本体５に適用されるセンサ４０と同様であってよい。信号処理部５６がチャイルドシート又はブースターシートがシート本体５に載置されたことを検出したときにシート本体５のセンサ４０からの信号に基づく出力を０にすることによって、チャイルドシート又はブースターシートに設けられたセンサからの信号をアプリケーション処理部５７に出力することができる。これにより、チャイルドシート又はブースターシートに着座するユーザもゲームをプレイすることができる。
【符号の説明】
【００７８】
１、９０、１００      ：シートシステム
５      ：シート本体
７      ：シートクッション
８      ：シートバック
９      ：ヘッドレスト
４０    ：センサ
４６    ：制御装置
４７    ：ユーザインタフェース
４９    ：携帯端末
５１    ：カメラ
５５    ：第２通信部
５６    ：信号処理部
５７    ：アプリケーション処理部
５８    ：鑑賞画像作成部
５９    ：インターネット
６１    ：サーバ
６２    ：携帯端末
６４    ：第３通信部
６５    ：ダッシュパネル
６７    ：ナビゲーションシステム
６８    ：制御装置
６９    ：ユーザインタフェース
７０    ：第４通信部
７１    ：制御装置
７２    ：ユーザインタフェース
７３    ：第５通信部
８０    ：鑑賞画像
１０１  ：ユーザ情報処理部
１０５  ：ユーザ情報画面
【図１】
2020175808.tif 000003
【図２】
2020175808.tif 000004
【図３】
2020175808.tif 000005
【図４】
2020175808.tif 000006
【図５】
2020175808.tif 000007
【図６】
2020175808.tif 000008
【図７】
2020175808.tif 000009